【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
コンピュータ実装方法であって、
画像生成要求を受信するステップであって、前記画像生成要求が、生成のための画像の画像形式を備える、ステップと、
前記受信した画像生成要求に対応する静止画像を取得するステップと、
前記画像形式に基づいて、生成のため、かつ前記画像形式に基づいた生成待ち画像に対応する、複数のサブ画像を決定するステップと、
前記複数のサブ画像の各サブ画像の記述情報を取得するステップと、
各サブ画像の前記記述情報に基づいて、複数のソート済みサブ画像として前記複数のサブ画像をソートするステップと、
前記複数のサブ画像のうちの特定のサブ画像を生成し、前処理し、かつ前記画像形式に対応する画像ファイルに追加することによって、前記サブ画像を生成するステップであって、
前記複数のソート済みサブ画像の生成のための特定のサブ画像に関連付けられた記述情報と、所定の画像生成アルゴリズムと、前記静止画像とに基づいて、特定のサブ画像を生成するステップと、
前記特定のサブ画像を前処理するステップと、
前記画像形式に対応する前記画像ファイルに前記特定のサブ画像を追加するステップと
を備える、ステップと
を備える、方法。
【請求項２】
前記記述情報は、前記生成のためのサブ画像の画素数と、生成のための前記サブ画像内の各画素の位置情報とを備える、請求項１に記載の方法。
【請求項３】
前記特定のサブ画像を生成するステップが、生成のための前記特定のサブ画像のそれぞれに対して、
生成のための前記特定のサブ画像内の前記特定の画素の位置情報を読み出すステップと、
前記位置情報に基づいて、前記静止画像内の対応する位置の画素を読み出すステップと、
前記対応する位置の前記画素と前記所定の画像生成アルゴリズムとに基づいて、前記特定の画素を決定するステップと
を備える、請求項２に記載の方法。
【請求項４】
前記静止画像は、前景画像、背景画像、または前景画像および背景画像の両方を備える、請求項３に記載の方法。
【請求項５】
前記位置情報に基づいて前記静止画像内の前記対応する位置の前記画素を読み出し、かつ前記対応する位置の前記画素と前記所定の画像生成アルゴリズムとに基づいて前記特定の画素を決定するステップが、
前記位置情報に基づいて前記前景画像内の前記対応する位置の前景画素を読み出し、かつ前記前景画素を前記特定の画素として使用するステップか、
前記位置情報に基づいて前記背景画像内の前記対応する位置の背景画素を読み出し、かつ前記背景画素を前記特定の画素として使用するステップか、または、
前記位置情報に基づいて前記前景画像内の前記対応する位置の前景画素を読み出し、前記位置情報に基づいて前記背景画像内の前記対応する位置の背景画素を読み出し、かつ前記前景画素と前記背景画素との組み合わせを前記特定の画素として使用するステップ
を備える、請求項４に記載の方法。
【請求項６】
前記画像生成要求は、ユーザ情報をさらに備え、
生成のための前記特定のサブ画像の記述情報と、所定の画像生成アルゴリズムと、前記静止画像とに基づいて、前記特定のサブ画像を生成するステップが、
前記ユーザ情報に基づいて二次元コード情報を生成するステップと、
生成のための前記特定のサブ画像の前記記述情報と、前記所定の画像生成アルゴリズムと、前記静止画像と、前記二次元コード情報とに基づいて前記特定のサブ画像を生成するステップと
を備える、請求項１に記載の方法。
【請求項７】
コンピュータ可読記憶媒体であって、
画像生成要求を受信することであって、前記画像生成要求が、生成のための画像の画像形式を備える、受信することと、
前記受信した画像生成要求に対応する静止画像を取得することと、
前記画像形式に基づいて、生成のため、かつ前記画像形式に基づいた生成待ち画像に対応する、複数のサブ画像を決定することと、
前記複数のサブ画像の各サブ画像の記述情報を取得することと、
各サブ画像の前記記述情報に基づいて、複数のソート済みサブ画像として前記複数のサブ画像をソートすることと、
前記複数のサブ画像のうちの特定のサブ画像を生成し、前処理し、かつ前記画像形式に対応する画像ファイルに追加することによって、前記サブ画像を生成することであって、
前記複数のソート済みサブ画像の生成のための特定のサブ画像に関連付けられた記述情報と、所定の画像生成アルゴリズムと、前記静止画像とに基づいて、特定のサブ画像を生成することと、
前記特定のサブ画像を前処理することと、
前記画像形式に対応する前記画像ファイルに前記特定のサブ画像を追加することと
を備える、生成することと
を備える動作を実行するようにコンピュータシステムによって実行可能な１つまたは複数の命令を記憶する、コンピュータ可読記憶媒体。
【請求項８】
前記記述情報は、前記生成のためのサブ画像の画素数と、生成のための前記サブ画像内の各画素の位置情報とを備える、請求項７に記載のコンピュータ可読記憶媒体。
【請求項９】
前記特定のサブ画像を生成することが、生成のための前記特定のサブ画像のそれぞれに対して、
生成のための前記特定のサブ画像内の前記特定の画素の位置情報を読み出すことと、
前記位置情報に基づいて、前記静止画像内の対応する位置の画素を読み出すことと、
前記対応する位置の前記画素と前記所定の画像生成アルゴリズムとに基づいて、前記特定の画素を決定することと
を備える、請求項８に記載のコンピュータ可読記憶媒体。
【請求項１０】
前記静止画像は、前景画像、背景画像、または前景画像および背景画像の両方を備える、請求項９に記載のコンピュータ可読記憶媒体。
【請求項１１】
前記位置情報に基づいて前記静止画像内の前記対応する位置の前記画素を読み出し、かつ前記対応する位置の前記画素と前記所定の画像生成アルゴリズムとに基づいて前記特定の画素を決定することが、
前記位置情報に基づいて前記前景画像内の前記対応する位置の前景画素を読み出し、かつ前記前景画素を前記特定の画素として使用することか、
前記位置情報に基づいて前記背景画像内の前記対応する位置の背景画素を読み出し、かつ前記背景画素を前記特定の画素として使用することか、または、
前記位置情報に基づいて前記前景画像内の前記対応する位置の前景画素を読み出し、前記位置情報に基づいて前記背景画像内の前記対応する位置の背景画素を読み出し、かつ前記前景画素と前記背景画素との組み合わせを前記特定の画素として使用すること
を備える、請求項１０に記載のコンピュータ可読記憶媒体。
【請求項１２】
前記画像生成要求は、ユーザ情報をさらに備え、
生成のための前記特定のサブ画像の記述情報と、所定の画像生成アルゴリズムと、前記静止画像とに基づいて、前記特定のサブ画像を生成することが、
前記ユーザ情報に基づいて二次元コード情報を生成することと、
生成のための前記特定のサブ画像の前記記述情報と、前記所定の画像生成アルゴリズムと、前記静止画像と、前記二次元コード情報とに基づいて前記特定のサブ画像を生成することと
を備える、請求項７に記載のコンピュータ可読記憶媒体。
【請求項１３】
コンピュータ実装システムであって、
１つまたは複数のコンピュータと、
前記１つまたは複数のコンピュータに相互動作可能に結合される１つまたは複数のコンピュータメモリであって、１つまたは複数の命令を記憶する有形の機械可読記憶媒体を有し、前記１つまたは複数のコンピュータによって実施されたとき、
画像生成要求を受信することであって、前記画像生成要求が、生成のための画像の画像形式を備える、受信することと、
前記受信した画像生成要求に対応する静止画像を取得することと、
前記画像形式に基づいて、生成のため、かつ前記画像形式に基づいた生成待ち画像に対応する、複数のサブ画像を決定することと、
前記複数のサブ画像の各サブ画像の記述情報を取得することと、
各サブ画像の前記記述情報に基づいて、複数のソート済みサブ画像として前記複数のサブ画像をソートすることと、
前記複数のサブ画像のうちの特定のサブ画像を生成し、前処理し、かつ前記画像形式に対応する画像ファイルに追加することによって、前記サブ画像を生成することであって、
前記複数のソート済みサブ画像の生成のための特定のサブ画像に関連付けられた記述情報と、所定の画像生成アルゴリズムと、前記静止画像とに基づいて、特定のサブ画像を生成することと、
前記特定のサブ画像を前処理することと、
前記画像形式に対応する前記画像ファイルに前記特定のサブ画像を追加することと
を備える、生成することと
を備える１つまたは複数の動作を実行する、コンピュータ実装システム。
【請求項１４】
前記画像生成要求は、ユーザ情報をさらに備え、
生成のための前記特定のサブ画像の記述情報と、所定の画像生成アルゴリズムと、前記静止画像とに基づいて、前記特定のサブ画像を生成することが、
前記ユーザ情報に基づいて二次元コード情報を生成することと、
生成のための前記特定のサブ画像の前記記述情報と、前記所定の画像生成アルゴリズムと、前記静止画像と、前記二次元コード情報とに基づいて前記特定のサブ画像を生成することと
を備える、請求項１３に記載のコンピュータ実装システム。
【請求項１５】
前記記述情報は、前記生成のためのサブ画像の画素数と、生成のための前記サブ画像内の各画素の位置情報とを備える、請求項１４に記載のコンピュータ実装システム。
【請求項１６】
前記特定のサブ画像を生成することが、生成のための前記特定のサブ画像のそれぞれに対して、
生成のための前記特定のサブ画像内の前記特定の画素の位置情報を読み出すことと、
前記位置情報に基づいて、前記静止画像内の対応する位置の画素を読み出すことと、
前記対応する位置の前記画素と前記所定の画像生成アルゴリズムとに基づいて、前記特定の画素を決定することと
を備える、請求項１５に記載のコンピュータ実装システム。
【請求項１７】
前記静止画像は、前景画像、背景画像、または前景画像および背景画像の両方を備える、請求項１６に記載のコンピュータ実装システム。
【請求項１８】
前記位置情報に基づいて前記静止画像内の前記対応する位置の前記画素を読み出し、かつ前記対応する位置の前記画素と前記所定の画像生成アルゴリズムとに基づいて前記特定の画素を決定することが、
前記位置情報に基づいて前記前景画像内の前記対応する位置の前景画素を読み出し、かつ前記前景画素を前記特定の画素として使用することか、
前記位置情報に基づいて前記背景画像内の前記対応する位置の背景画素を読み出し、かつ前記背景画素を前記特定の画素として使用することか、または、
前記位置情報に基づいて前記前景画像内の前記対応する位置の前景画素を読み出し、前記位置情報に基づいて前記背景画像内の前記対応する位置の背景画素を読み出し、かつ前記前景画素と前記背景画素との組み合わせを前記特定の画素として使用すること
を備える、請求項１７に記載のコンピュータ実装システム。